(57)【要約】一回使い捨て飲料パッケージは、フレームを含んでいる。フレームは、フレームの最上部に開口部を画定している連続リムと、閉じられている底部分と、リムから底の周縁まで延びている複数の互いに間隔を空けて配置されているリブと、を含んでいる。底部分と複数のリブとリムは、流体の流れを促す複数の開口部を画定している。バスケットは、多数のバスケットの積み重ねがやり易くなるようにテーパが付けられている。少なくとも１つのリブは、上のバスケットを下のバスケットの中へ挿入できる量を制限してそれにより上のバスケットと下のバスケットの底同士の間に空間を画定させるように構成されている、中央領域に配置された突起部を含んでいる。
2014521442.tif 000002
【特許請求の範囲】
【請求項１】
飲料粉を保持するためのバスケットにおいて、
フレームであって、
当該フレームの上部に開口部を画定している連続リムと、
閉じられている底部分と、
前記リムから前記底部分の周縁まで延びている複数の互いに間隔を空けて配置されたリブと、を含むフレームを備えでおり、
前記底縁と前記複数のリブと前記リムとは流体の流れを促す複数の開口部を画定しており、
前記底部分は、カートリッジ又は抽出器の相補的な機構と協働して前記バスケットの前記カートリッジ又は前記抽出器内での整列を制御するように構成されている溝又は窪みを画定している、バスケット。
【請求項２】
前記溝は、前記底部分の全周縁に沿って前記周縁の内方において延びている連続溝である、請求項１に記載のバスケット。
【請求項３】
少なくとも１つのリブから延びていて、前記リブの中央領域に配置されていて、第１のバスケットを第２のバスケットの中へ挿入できる量を制限してそれにより前記第１のバスケットと前記第２のバスケットの底同士の間に空間を画定させるように構成されている突起部、を更に備えている、請求項１に記載のバスケット。
【請求項４】
前記空間は、飲料粉の貯蔵をやり易くするサイズである、請求項３に記載のバスケット。
【請求項５】
前記複数の開口部を実質的に覆うように構成されているフィルタ材料を更に備えている、請求項１に記載のバスケット。
【請求項６】
前記フィルタ材料は、ポリスチレン、ポリエチレン、ポリプロリレン、ポリ乳酸、ポリヒドロキシアルカン酸類、ポリアミド、ポリエステル、及び熱可塑性デンプン、から成る群より選定された不織の又は織られたメッシュ材料からなる、請求項５に記載のバスケット。
【請求項７】
前記フレームは、ポリスチレン、ポリエチレン、ポリプロリレン、ポリ乳酸、ポリヒドロキシアルカン酸類、ポリアミド、ポリエステル、及び熱可塑性デンプン、から成る群より選択された材料からなる、請求項１に記載のバスケット。
【請求項８】
前記バスケットは、使い捨て式不透過性気密バリアポーチ又は容器に梱包されるように構成されている、請求項１に記載のバスケット。
【請求項９】
前記相補的な機構は、前記カートリッジ又は前記抽出器の受け入れ部材中の針である、請求項１に記載のバスケット。
【請求項１０】
飲料粉を保持するためのバスケットにおいて、
フレームであって、
当該フレームの上部に開口部を画定している連続リムと、
閉じられている底部分と、
前記リムから前記底部分の周縁まで延びている複数の互いに間隔を空けて配置されたリブと、を含むフレームを備えており、
前記底部分と前記複数のリブと前記リムとは流体の流れを促す複数の開口部を画定しており、
前記バスケットは多数のバスケットの積み重ねがやり易くなるようにテーパが付けられており、
少なくとも１つのリブは、当該リブの中央領域に配置された突起部を含んでおり、前記突起部は、上のバスケットを下のバスケットの中へ挿入できる量を制限してそれにより前記上のバスケットと前記下のバスケットの底同士の間に空間を画定させるように構成されている、バスケット。
【請求項１１】
前記空間は、飲料粉の貯蔵をやり易くするサイズである、請求項１０に記載のバスケット。
【請求項１２】
前記下のバスケットの前記突起部は該下のバスケットの中心に向かって内方に延びていて、前記上のバスケットの前記底部分を支持するように構成されている、請求項１０に記載のバスケット。
【請求項１３】
前記上のバスケットの前記突起部は、該上のバスケットの中心から離れるように外方に延びていて、前記下のバスケットの前記リムの上に載るように構成されている、請求項１０に記載のバスケット。
【請求項１４】
前記バスケットの前記底部分は、カートリッジ又は抽出器の相補的な機構と協働して前記バスケットの前記カートリッジ内での整列を制御するように構成されている溝又は窪みを画定している、請求項１０に記載のバスケット。
【請求項１５】
前記相補的な機構は、前記カートリッジ又は前記抽出器の受け入れ部材中の針である、請求項１０に記載のバスケット。
【請求項１６】
前記溝は、前記底部分の全周縁に沿って該周縁の内方において延びている連続溝である、請求項１４に記載のバスケット。
【請求項１７】
前記溝は、前記底部分の前記周縁の一部分に沿って該周縁の内方において延びている、請求項１４に記載のバスケット。
【請求項１８】
前記複数の開口部を実質的に覆うように構成されているフィルタ材料を更に備えている、請求項１０に記載のバスケット。
【請求項１９】
更に、使い捨て式不透過性気密バリアポーチ又は容器に梱包できる、請求項１０に記載のバスケット。
【請求項２０】
飲料粉を保持するためのバスケットを形成するための方法において、
フレームあって、当該フレームの上部に開口部を画定している連続リムと、閉じられている底部分と、前記リムから前記底の周縁まで延びている複数の互いに間隔を空けて配置されたリブと、を含んでおり、前記底部分と前記複数のリブと前記リムは流体の流れを促す複数の開口部を画定していて、前記バスケットには多数のバスケットの積み重ねがやり易くなるようにテーパが付けられているフレームを形成する段階と、
少なくとも１つのリブの中央領域に配置された突起部であって、上のバスケットを下のバスケットの中へ挿入できる量を制限してそれにより前記上のバスケットと前記下のバスケットの底同士の間に空間を画定させるように構成されている突起部を形成する段階と、を備えている方法。
【請求項２１】
前記空間は、飲料粉の貯蔵をやり易くするサイズである、請求項２０に記載の方法。
【請求項２２】
前記下のバスケットの前記突起部は、当該下のバスケットの中心に向かって内方に延びていて、前記上のバスケットの前記底部分を支持するように構成されている、請求項２０に記載の方法。
【請求項２３】
前記上のバスケットの前記突起部は、当該上のバスケットの中心から離れるように外方に延びていて、前記下のバスケットの前記リムの上に載るように構成されている、請求項２０に記載の方法。
【請求項２４】
飲料バスケット受け入れ部を含んでいる飲料抽出器において、前記受け入れ部は、
飲料バスケットを受け入れるように構成されている内部領域を画定している側壁及び底壁と、
前記飲料バスケットと協働して当該飲料バスケットを前記受け入れ部内で実質的に中心合せするように構成されている、内部領域内に配置されている整列部材と、を備えている、飲料抽出器。
【請求項２５】
前記整列部材は、飲料バスケットの溝内に嵌るように構成されている環状リングを含んでいる、請求項２４に記載の飲料抽出器。
【請求項２６】
前記整列部材は、前記飲料バスケットの窪み内に嵌るように構成されているボタンを含んでいる、請求項２４に記載の飲料抽出器。
【請求項２７】
抽出器の、膜穿刺針を下部分に含んでいる受け入れ部材の中へ、挿入されるように構成されている飲料粉を保持するためのバスケットにおいて、
フレームであって、
当該フレームの上部に開口部を画定している連続リムと、
閉じられている底部分と、
前記リムから前記底部分の周縁まで延びている複数の互いに間隔を空けて配置されたリブと、を含むフレームを備えており、
前記底縁と前記複数のリブと前記連続リムとは流体の流れを促す複数の開口部を画定しており、
前記バスケットの前記底部分は、実質的に平坦な表面を画定している第１部分と、窪みを画定している第２部分であって、前記バスケットが前記受け入れ部材の中へ挿入されたときに前記膜穿刺針が当該窪み内に配置され前記底部分を貫通しないようなサイズの窪みを画定している第２部分とに分けられている、バスケット。
【請求項２８】
選択的に前記フレームの前記上部の前記開口部を実質的にシールするように構成されている蓋を更に備えている、請求項２７に記載のバスケット。
【請求項２９】
前記蓋は、前記連続リムの内面に押し当てて摩擦嵌めされるように構成されている内側の環状リング又は別体のペグを備えている、請求項２８に記載のバスケット。
【請求項３０】
前記蓋は、前記連続リムの外縁の上からスナップ嵌めされるように構成されている側壁を備えている、請求項２８に記載のバスケット。
【請求項３１】
前記連続リムは、１つ又はそれ以上の切欠を画定し、前記蓋は、１つ又はそれ以上の軌道を備えており、前記１つ又はそれ以上の切欠と前記１つ又はそれ以上の軌道は、前記蓋部材を前記バスケットへ捻ってロックするのがやり易くなるように協働する、請求項２８に記載のバスケット。
【請求項３２】
前記バスケットと前記蓋は、開放形態では前記蓋が前記バスケットへ付着されているように一体に形成されている、請求項２７に記載のバスケット。
【請求項３３】
前記蓋は、当該蓋の下面から延びている複数の液体分配フィンを備えている、請求項２８に記載のバスケット。
【発明の詳細な説明】
【技術分野】
【０００１】
本発明は、一回使い捨て飲料パッケージに関する。
【背景技術】
【０００２】
飲料を１杯ずつ抽出する方式は消費者に好評である。市場には１杯用抽出器の多様な形式が出回っている。これらの抽出器は、１杯分のコーヒー又は茶を素早く抽出するように設計されている。コーヒーの粉又は茶の粉は、１杯分として調製されて販売されている。
【０００３】
１杯用抽出器では、金属製すなわちスチール製のフィルタの様な再使用可能な道具は、状況によっては適さないことがある。一例として、慌ただしい家庭、オフィス環境、或いは待合室環境での様に、効率が求められている場合がある。再使用可能な道具は洗浄が必要であるが、洗浄は飲料粉がフィルタの孔へこびり付く傾向があり面倒になる。その上、再使用可能な道具の洗浄に対応するには、１杯用抽出器を給水源及び流し台又は排水管の付近に設置することが必要になる。流し台又は排水管を用意するのは非実用的であることもある。
【発明の概要】
【０００４】
第１の態様では、一回使い捨て飲料パッケージは、フレームを含んでいる。フレームは、フレームの最上部に開口部を画定している連続リムと、閉じられている底部分と、リムから底の周縁まで延びている複数の互いに間隔を空けて配置されているリブと、を含んでいる。底部分と複数のリブとリムは、流体の流れを促す複数の開口部を画定している。底部分は、カートリッジの相補的な機構と協働してバスケットのカートリッジ内での整列を制御するように構成されている溝又は窪みを画定している。
【０００５】
第２の態様では、一回使い捨て飲料パッケージは、フレームを含んでいる。フレームは、フレームの最上部に開口部を画定している連続リムと、閉じられている底部分と、リムから底の周縁まで延びている複数の互いに間隔を空けて配置されているリブと、を含んでいる。底部分と複数のリブとリムは、流体の流れを促す複数の開口部を画定している。バスケットは、多数のバスケットの積み重ねがやり易くなるようにテーパが付けられている。少なくとも１つのリブは、上のバスケットを下のバスケットの中へ挿入できる量を制限してそれにより上のバスケットと下のバスケットの底同士の間に空間を画定させるように構成されている、中央領域に配置された突起部を含んでいる。
【０００６】
本発明の他のシステム、方法、特徴、及び利点は、添付の図並びに以下の詳細な説明がつぶさに考察されれば当業者には自明であるか又は明らかとなることであろう。全てのその様な追加的なシステム、方法、特徴、及び利点は、本記載に含まれるものであり、本発明の範囲に含まれるものとし、付随の特許請求の範囲によって保護されるべきものとする。
【図面の簡単な説明】
【０００７】
【図１】使い捨て式飲料１杯分バスケットを包装資材と共に示している。
【図２】使い捨て式飲料１杯分バスケットと蓋を示している。
【図３】使い捨て式飲料１杯分バスケットを例示としての寸法と併せて示している。
【図４】使い捨て式飲料１杯分バスケットの使用を示している。
【図５】使い捨て式飲料１杯分バスケット用の例示としての蓋を示している。
【図６】例示としての、使い捨て式飲料１杯分バスケット複数個組パッケージを示している。
【図７Ａ】バスケットへと成形されるように構成されている、例示としてのフィルタ材の側面部分を示している。
【図７Ｂ】例示としてのフィルタ材の底面部分を示しており、当該底面部分は、必要に応じ、バスケットのフレームの底面へ成形されるように構成される。
【図７Ｃ】バスケットへ成形されている、例示としてのフィルタ側面部分とフィルタ底面部分を示している。
【図８Ａ】例示としての蓋へのロゴの設置を示している。
【図８Ｂ】バスケットのロゴの設置を示している。
【図８Ｃ】バスケットの下面へのロゴの設置を示している
【図９Ａ】底部分の溝を画定している使い捨て式飲料１杯分バスケットを示している。
【図９Ｂ】底部分の溝及び窪みを画定している使い捨て式飲料バスケットを示している。
【図１０Ａ】図９Ａの飲料バスケットと関連付けて使用される環状リングを有する例示としてのカートリッジを示している。
【図１０Ｂ】図９Ｂの飲料バスケットと関連付けて使用されるボタンを有する例示としてのカートリッジを示している。
【図１１Ａ】外方に延びる一群の突起部を有する使い捨て式飲料バスケットを示している。
【図１１Ｂ】内方に延びる一群の突起部を有する使い捨て式飲料バスケットを示している。
【図１２Ａ】外方に延びる突起部を含んでいる使い捨て式飲料バスケットを積み重ねたところを示している。
【図１２Ｂ】内方に延びる突起部を含んでいる使い捨て式飲料１杯分バスケットを積み重ねたところを示している。
【図１３Ａ】更に別の飲料バスケットの実施形態の斜視図を示している。
【図１３Ｂ】図１３Ａの飲料バスケットの側面図を示している。
【図１３Ｃ】図１３Ａの飲料バスケットの底面図を示している。
【図１４Ａ】図１３Ａ−図１３Ｃの飲料バスケットを覆うための第１の蓋実施形態を示している。
【図１４Ｂ】図１４Ａと共に、図１３Ａ−図１３Ｃの飲料バスケットを覆うための第１の蓋実施形態を示している。
【図１５Ａ】図１３Ａ−図１３Ｃの飲料バスケットを覆うための第２の蓋実施形態を示している。
【図１５Ｂ】図１５Ａと共に、図１３Ａ−図１３Ｃの飲料バスケットを覆うための第２の蓋実施形態を示している。
【図１６Ａ】捻って一体にロックされるバスケットと蓋を示している。
【図１６Ｂ】図１６Ａと共に、捻って一体にロックされるバスケットと蓋を示している。
【図１７】一体に形成されているバスケットと蓋を示している。
【図１８Ａ】一例としての蓋の下面に配置されている液体分配フィンを示している。
【図１８Ｂ】図１８Ａと共に、一例としての蓋の下面に配置されている液体分配フィンを示している。
【発明を実施するための形態】
【０００８】
飲料を１杯ずつ抽出する方式は、それがもたらす利便性と融通性の良さにより消費者に好評である。多くの１杯用飲料抽出器が市場に投入されている。従来式の抽出器では、典型的に、一度に４杯から２０杯分の飲料が出来上がる。飲料は消費されるまで温熱板上に載せられる。時間が経過するにつれ、飲料の味は低下してゆく。１杯用抽出器は、消費者が、コーヒーや茶の様な飲料を、効率的な様式で且つ飲料の味が低下することなく楽しめるようにする。
【０００９】
図１では、１杯用抽出器で使用されるコーヒーの粉又は茶の粉は、一回使い捨て式の飲料パッケージ１００に包装されている。一回使い捨て式の飲料パッケージ１００は、透過性バスケットとされているバスケット１１０と、使い捨て式不透過性バリアとされているバリア１１２と、を含んでいる。
【００１０】
バリア１１２は、第１辺１１４と第２辺１１６を有するものとすることができる。第１辺１１４は、筋、つまみ、ジッパー、又は埋込紐を含んでいるか、或いは別のやり方で、使用者がバリア１１２を開封することができるようにするための手段を提供していてもよい。バリア１１２は、第２辺１１６又は他の辺を、ガゼット加工、ピンチング、ヒートシール、ステープリング、又は別のやり方によってシールされている。代替的又は追加的に、バリア１１２は、中でも特に、シュリンクラップバリア又はワックスバリアであってもよい。
【００１１】
バリア１１２は、液体、気体、及び固体の通過を実質的に防止する。例えば、バリア１１２は、湿気及び酸素がパウチの中へ進入するのを遮り、コーヒーの芳香を維持するように、密封シールされていてもよい。追加的又は代替的に、幾つかのバスケットが事前に充填され、ひとまとめにして、出荷中及び保存中の鮮度が保たれるように卵ケース型の構成や管状或いは他の荷姿に包装されていてもよい。バリア１１２は、中でも特に、箔ラミネート、金属化フィルム、ＥＶＯＨフィルム、ポリオレフィンを基材とする材料、パラフィルム、プラスチック、及びそれらの組合せ、の様な材料で作ることができるであろう。
【００１２】
使用者は、例えば、バリア１１２を第１辺１１４に沿って裂くことによって、パッケージ１００を開封して、バスケット１１０を露出させることができる。使用者は、バスケット１１０をバリア１１２から取り出し、当該バスケット１１０を１杯用抽出器の中へ設置する。バスケット１１０に粉が事前に充填されていてもよいし、或いは代わりに、使用者が粉をバスケット１１０に加えることができるようになっていてもよい。
【００１３】
バスケット１１０は、可逆的に閉じることのできる又は開放端となる第１端１１８と、閉鎖端とされている第２端１２０と、を含む単層壁の透過性バスケットとすることができる。バスケット１１０は、カップ形状をしているバスケットであってもよく、蓋１２２付きで使用されていてもよい。バスケット１１０は、更に、側壁１２４とリム１２６を有することができる。側壁１２４は、第２端１２０とリム１２６を接続している。側壁１２４は、フレーム１２８とフィルタ材１３０を含んでいる。
【００１４】
フレーム１２８は、フィルタ材１３０に構造と安定性と完全性を提供している。フレーム１２８は、射出成形によるか、又は比較的可撓性であるフィルタ材の周りに剛性な形を加工するのに適した異なったプロセスによって、形成することができるであろう。フレーム１２８は、多数の市販されている材料、例えば、ポリスチレン、ポリエチレン、ポリプロリレン、ポリエステル、ポリアミド即ちナイロン、又は他の合成或いは天然のプラスチック類、又はそれらの組合せなど、のうちの何れで作られていてもよい。フレームは、生体由来のポリマーの様な他の材料、例えば、ポリ乳酸（ＰＬＡ）、ポリヒドロキシ酪酸（ｐｏｌｙ  ｈｙｄｒｏｘｙｂｕｔａｒｉｃ  ａｃｉｄ）（ＰＨＡ）、又はデンプンを基材とするポリマーなどから作られていてもよい。フレーム１２８は、当業者に知られている他の材料で作られていてもよい。
【００１５】
図２に示すように、バスケット１１０の側壁１２４は、フレーム１２８とフィルタ材１３０とによって画定されている。フィルタ材１３０は、バスケット１１０の、例えば、第２端１２０、リム１２６、及び／又は当該フレーム１２８に、固着されている。フィルタ材１３０は、例えば、フレーム１２８用に使用されているプラスチックの熱接着又は接着剤を用いた熱接着、クリンプ加工、ヒートシール、又はその他のやり方によって、固着させてもよい。フィルタ材１３０は、フィルタ材インサートの周りにプラスチックフレームを成形するインサート射出成形でフレーム１２８に固着させてもよい。例えば、フィルタ材の事前にダイカットされたブランクを、当該事前にダイカットされたブランクの形状の周りに溝を有するマンドレルに載せてもよいであろう。インサート射出成形中に、溶かしたプラスチックを流し入れてフィルタ材１３０のブランクに接着させる。プラスチックは、例えば冷却させると、フレーム１２８へと固化する。図７Ａ−図７Ｃを参照して、或る別の実施形態では、フィルタ材７００と７０５は、最初に、略円筒形先細部分７００と、以下に円形部分７０５と呼称されている随意的な底部円形フィルタ材７０５とに形成される。フィルタ材７００と７０５は、次いで、インサート射出成形用の金型上へ設置又は挿入されて、フィルタ材７００と７０５がバスケット７１０のフレームによって支持されているバスケット７１０が形成される。バスケット７１０のフレームの下端７１５は実質的に開口しており、円形フィルタ部分７０５が当該開口部分を覆うことになる。
【００１６】
フィルタ材１３０は、多孔質材料であり、液体又は一部の油類を透過させるものとすることができる。それは、多くの材料から形成することができ、例えば、ポリスチレン、ポリエチレン、ポリプロピレン、ポリ乳酸、セルロース系繊維類、ポリヒドロキシアルカン酸類、熱可塑性デンプン、濾紙、他の紙材料、ポリマー材料、それらの組合せ、又はその他の材料、の様な不織材料で形成することができるであろう。フィルタ材１３０は、同様に、ポリマー又はプラスチックの濾過用メッシュから形成されていてもよいし、又はポリプロピレンやナイロン６や高密度ポリエチレンの様な各種プラスチック材料又は当業者に知られている他の材料で作られている微小孔性又は孔あきフィルムから形成されていてもよい。代わりに、フィルタ材１３０は、ポリ乳酸（ＰＬＡ）、ポリヒドロキシ酪酸（ｐｏｌｙ  ｈｙｄｒｏｘｙｂｕｔａｒｉｃ  ａｃｉｄ）（ＰＨＡ）、又はデンプンを基材とするポリマー、の様なバイオベースポリマーから形成されていてもよい。
【００１７】
フィルタ材１３０の特性は、挽きコーヒー、茶粉末又は茶葉、又は他の抽出させる製品の様な、異なった製品の濾過の要求に応えるように選択することができる。例えば、フィルタ材１３０の、秤量、厚さ、ストランド数、メッシュサイズ、流量、及び強度は、抽出させようとする製品に基づいて選択することができる。
【００１８】
フィルタ材１３０は、堆肥化できでもよいし、生物分解性であってもよいし、リサイクル品であってもよいし、リサイクル可能であってもよい。フィルタ材１３０は、不織材料であったなら、例えば織材料や金属のフィルタよりも大きな抵抗を有することであろう。不織フィルタ材１３０は、例えば織材料又は金属のフィルタに比べて、水をバスケットの中により長く停留させることができる。水が粉の入ったバスケットの中に停留する時間の長さは得られる飲料の濃さひいては味質のプロファイルに影響する。これは、織材料又は金属材料ではそれらを貫く開口のサイズに技術的制限があるからである。不織材料にはその様な技術的制限はない。従って、相違は、織材料又は金属材料では水の経路は壁を直線的に貫いており、不織材料では経路は非直線状で入り組んでいるということである。
【００１９】
バスケット１１０は、蓋１２２を含んでいてもよい。蓋１２２は、リム２０２とカバー２００を含んでいる。カバー２００は、バスケット１１０と確実に嵌まり合うためにリム２０２の下方に配置されている。代わりに、カバー２００はリム２０２を含んでいなくてもよい。カバー２００は、液体がバスケットの中へ進入できるように孔を開けられた材料から作ることができる。例えば、カバー２００は、透過性バスケット１１０中に内容物を維持するために当該バスケット１１０のリム１２６に又はリム１２６を横断してシールされている、箔、フィルム、被覆の施されたフィルム、又は多層ラミネート、の様な材料であってもよい。カバー２００は、乾燥している内容物は乾燥した状態に、湿潤している内容物は湿潤した状態に保つことができ、内容物の鮮度を維持することができるであろう。カバー２００は、プラスチック、金属箔、フィルタ材料、熱可塑性デンプン、又はラミネート或いはラミネート複合材で形成されていてもよい。
【００２０】
バスケット１１０は、商業用の１杯用コーヒー抽出器と共に使用する寸法であってもよい。図３は、例示としてのバスケット１１０を示している。バスケット１１０は、開口端の幅３１２と高さ３１６を有している。開口端の幅３１２は、限定するわけではなく一例として約３８−４２ｍｍであってもよい。高さ３１６は、限定するわけではなく一例として３８−４２ｍｍであってもよい。リム１２６は、限定するわけではなく一例として３．５−５．５ｍｍの寸法３１４を有していてもよい。フレーム１２８は、限定するわけではなく一例として５ｍｍの寸法３２０と、限定するわけではなく一例として２ｍｍの寸法３１８を有していてもよい。これらの寸法は、単に例示であり限定を課すものではない。バスケット１１０は、同様に他の寸法又は他の形状を有していてもよく、例えば、様々な１杯用飲料機での使用を許容する寸法を有するものとすることができる。
【００２１】
図４では、バスケット１１０には、限定するわけではなく一例としてコーヒーの粉又は茶の粉の様な、飲料粉４１４が事前に充填されている。代替的又は追加的に、バスケット１１０は、使用直前に、飲料粉４１４が装填されるようになっていてもよい。バスケット１１０に飲料粉４１４が事前に充填されている場合、バスケット１１０は蓋１２２でシールされている。代わりに、透過性バスケット１１０に飲料粉４１４が事前に装填されていない場合、バスケット１１０には蓋１２２がなくてもよいが、追加的又は代替的に、バスケットは取り外しできる蓋１２２を有していてもよいし、或いは別のやり方であってもよい。
【００２２】
使用時、使用者はバリア１１２を開封し、バスケット１１０を取り出して、当該バスケット１１０を１杯用飲料機の中へ設置する。温められた液体４１０が、カバー２００の開口部を通って或いは別のやり方でバスケット１１０に受けられる。例えば、使用時、中身が事前に装填されているバスケット１１０は、１杯用飲料機用のカートリッジ４００の内部に設置されることになる。カートリッジ４００は、再使用式であってもよいし、使い捨て式であってもよいであろう。抽出サイクル中に、カバー２００はプローブ４１６によって刺し貫ぬかれ、温められた液体４１０がバスケット１１０の中へ通される。温められた液体は飲料粉４１４と作用し合って、中間飲料物を生成する。中間飲料物４１８は、フィルタ材１３０を通って流れ、カートリッジ４００の開口部を抜けて出てゆく。
【００２３】
第２の例として、使用時、中身が装填されていない透過性バスケット１１０は、１杯用飲料機用のカートリッジ４００内部に設置されることになる。カートリッジ４００は、再使用式であってもよいし、使い捨て式であってもよいであろう。飲料粉４１４がバスケット１１０の中へ設置される。バスケット１１０の内容物を維持するべくカバー２００が装着される。抽出サイクル中に、カバー２００はプローブ４１６によって刺し貫ぬかれ、温められた液体４１０がバスケット１１０の中へ通される。温められた液体は飲料粉４１４と作用し合って、中間飲料物を生成する。中間飲料物４１４は、フィルタ材１３０を通って流れ、カートリッジ４００の開口部を抜けて出てゆく。代わりのやり方では、カバー２００は必須ではない。その場合には、温められた液体４１０は、直接バスケット１１０の中へ流れ込むことになる。
【００２４】
図５は、バスケット１１０用の蓋１２２の１つの例を示している。蓋１２２のカバー２００は、液体プローブを進入させるための開口部５００を含んでいてもよい。開口部５００は、カバー２００の材料の、プローブに押されると容易に屈する脆弱部分であってもよい。
【００２５】
図６では、中身が装填されていない先細バスケット１１０は、効率良く入れ子にできるように構成されている。バスケット１１０は、積重式又は管状に入れ子にされ、それをプラスチックフィルムのスリーブ又は別のものに詰めて販売されてもよいであろう。中身が装填されていないバスケット１１０は、消費者が自身の１杯用抽出器での使用に際し各種飲料粉４１４を選択できるようにしている。消費者は、自身の１杯用抽出器での使用に際し飲料粉４１４の量を加減することもできる。
【００２６】
単回使用飲料パッケージ１００の構成要素は、環境に優しい製品を創出するという意図に沿うように選択することができる。例えば、フィルタ材１３０は、合成又は生物分解性の材料、リサイクル品であるか又はリサイクル可能である材料、又は堆肥化できる材料の範囲から作ることができ、例えば、ポリオレフィン類、ポリ乳酸、セルロース誘導体類、ポリヒドロキシアルカン酸類、熱可塑性テンプン、それらの組合せ、又は他の材料などから作ることができる。バスケットフレーム１２８材料、カバー２００、及びバリア１１２も同様に、これらの材料又は類似の、合成材料、生物分解性材料、再生されているか又は再生可能な材料、又は堆肥化できる材料であって、構造的完全性（例えばフレーム１２８）と不透過性（例えばバリア１１２）の性質を保持する材料から作ることができる。
【００２７】
実施形態のうちの様々な実施形態を説明してきたが、当業者には、添付の特許請求の範囲に含まれるものとして更に多くの実施形態及び実施形が実施可能であることが自明であろう。例えば、図８Ａ−図８Ｃに関連して、様々な構成のロゴ８０５を、蓋１２２（図９Ａ）、バスケット１１０（図８Ｂ）、又はバスケット１１０の下面に設置することができるであろう。ロゴ８０５はフィルタ材１３０上に印刷されてもよいであろう。ロゴ８０５は、販売元が、例えば、バスケットの中に在る製品についての説明情報、例えば製品がコーヒーであるか茶であるかということやブレンドの種類など、を載せることができるようにしている。当業者には知られている他の情報が印刷されてもよいであろう。
【００２８】
図９Ａ−図１０Ｂは、使い捨て式飲料バスケットの更に他の実施形態を示している。図９Ａ及び図９Ｂは、バスケットのカートリッジ又は抽出器内での位置付けを制御するように構成されている飲料バスケットの実施形態を示している。図９Ａを参照すると、飲料バスケット９００（上側を下にして図示）は、フレーム１２８とフィルタ材料９０３を含んでいる。フレーム１２８は、リム１２６、底部分１２０、及び一群のリブ９０６を含んでいる。リム１２６は、フレーム１２８を直立位置にしたときのフレーム１２８の最上部に相当する開口部を画定している。リム１２６は、連続していて、円形状、楕円形状、又は別の形状を有するものとすることができる。底部分１２０は、フレーム１２８の底に相当する閉じた面である。リブ９０６は、リム１２６から底部分１２０の縁まで延びている。リブ９０６とリム１２６と底部分１２０は、コーヒー、茶、又は別の飲料、の様な流体の流れを促す一群の開口部を画定している。
【００２９】
底部分１２０は、溝９０５及び／又は窪み９０７を画定している（図９Ｂを参照されたし）。溝９０５は、底部分１２０の縁に沿って縁の内方に連続して延びていてもよい。溝９０５及び／又は窪み９０７は、カートリッジ又は抽出器の底の相補的な機構、例えば突き出た針、と協働して、バスケット９００をカートリッジ又は抽出器内で正確に位置付けるように構成されている。即ち、溝９０５及び／又は窪み９０７は、使用中にバスケット９００の外壁がカートリッジ又は抽出器の内壁に突き当たってバスケット９００を通る流体の流れを制限してしまうことのないように、バスケット９００の整列を制御するべくカートリッジ又は抽出器の相補的な機構と噛み合うように構成されている。
【００３０】
図１０Ａ及び図１０Ｂは、整列機構を有する一例としてのカートリッジ１０００及び１０１５を示している。同じ整列機構が、カートリッジとは独立に、抽出器に設けられていてもよい。図１０Ａを参照すると、機構は環状リング１００５に相当している。環状リング１００５は、環状リング１００５の周りの流体の流れを促すように１つ又はそれ以上の橋部材１００７によってカートリッジ内に吊られている。環状リング１００５は、飲料バスケット９００の溝９０５内に嵌るサイズとすることができる。抽出器の実施形では、環状リング１００７は、抽出器の飲料バスケット９００を受け入れるように構成されている部分に形成されていよう。他の実施形では、環状リング１００５及び１つ又はそれ以上の橋部材１００７は、実質的にカートリッジ１０００又は抽出器の底付近に嵌ってカートリッジ１０００又は抽出器の側壁との間に距離を維持するように構成されている別体の構成要素に相当するものであってもよい。
【００３１】
図１０Ｂを参照すると、上記機構はボタン１０１７に相当している。ボタン１０１７は、上述の窪み９０７内に嵌るサイズとすることができる。ボタン１０１７は、ボタン１０１７の周りの流体の流れを可能にさせるように橋部材１０１９によって支持されている。抽出器の実施形では、ボタン１０１７は、抽出器の飲料バスケット９００を受け入れるように構成されている部分に形成されていよう。他の実施形では、ボタン１０１７及び橋部材１０１９は、実質的にカートリッジ１０１５又は抽出器の底付近に嵌ってカートリッジ１０１５又は抽出器の側壁との間に距離を維持するように構成されている別体の構成要素に相当するものであってもよい。
【００３２】
図１１Ａ及び図１１Ｂは、積み重ねるように構成されている飲料バスケットの実施形態１１００及び１１５０を示している。図１１Ａを参照すると、飲料バスケット１１００は、上述の様にフレーム１２８及びフィルタ材料９０３を含んでいる。例えば、フレームは、リム１２６、底部分１２０、及び一群のリブ９０６を含んでいる。リム１２６は、フレーム１２８の最上部天面に相当する開口部を画定している。リム１２６は、連続していて、円形状、楕円形状、又は別の形状を有するものとすることができる。底部分１２０は、フレーム１２８の底に相当する閉じた面である。リブ９０６は、リム１２６から底部分１２０の縁まで延びている。リブ９０６とリム１２６と底部分１２０は、コーヒー、茶、又は別の飲料、の様な流体の流れを促す一群の開口部を画定している。
【００３３】
それぞれのリブ９０６は、中央領域に配置された突起部１１０５及び１１１０（図１１Ｂ）を含んでいる。突起部１１０５及び１１１０は、バスケット１１００及び１１５０それぞれを互いの中へ挿入できる量を制限するように構成されている。挿入量を制限することで、バスケット１１００と１１５０の底１２０同士の間には空間１２１０（図１２Ｂ）が生じる。空間１２１０は、バスケット１１００と１１５０が積み重ねられたときの、コーヒーの粉、茶の粉、又は他の粉の様な飲料粉の貯蔵をやり易くするサイズとすることができる。即ち、突起部１１０５及び１２１０のリブ９０６に沿った位置は、バスケット同士の間の空間１２１０の所望量を生じさせるように構成されることになろう。而して、数個のバスケットに粉を充填し次いでそれらを積み重ねて空間を節約できるのが好都合である。
【００３４】
幾つかの構成では、突起部１１０５はバスケットの中心から離れるように外方に延びている。（図１１Ａを参照されたし）。図１２Ａを参照すると、この構成では、上のバスケット１２０５の突起部１１０５は、下のバスケット１２０７のリム１２６の上に載っている。これに関し、互いに反対側の突起部１１０５（即ち、バスケット１１００の互いに反対側の側面の突起部１１０５）間の距離はリム１２６の内径にほぼ等しいであろう。
【００３５】
他の構成では、突起部１１１０はバスケットの中心に向かって内方に延びている。（図１１Ｂを参照されたし）。図１２Ｂを参照すると、この構成では、上のバスケット１２０５の底部分１２０は、下のバスケット１２０７の突起部１１１０の上に載っている。これに関し、向かい合う突起部１１１０（即ち、バスケット１１００の向かい合う側面の突起部１１０５）間の距離は底部分１２０の外径にほぼ等しいであろう。
【００３６】
図１３Ａ−図１３Ｃは、更に別の飲料バスケットの実施形態１３００の斜視図、側面図、及び底面図をそれぞれ示している。飲料バスケット１３００は、カートリッジ４００を必要とすること無しに、抽出器（図示せず）の中へ設置されるように構成されている。その様な抽出器は、典型的には、同一の形状ではないにしてもよく似た形状を有するバスケットを受け入れるサイズの受け入れ部材を含んでいる。突き出た膜穿刺針が、受け入れ部材の下部分に配置されていて、典型的なプラスチックカップ（例えば、平坦で閉じた底面を有する全体的に円筒形状をしているカップ）の下部分を刺し貫いて、バスケットから針を通ってカップの中への流体の流れを促すように構成されている。
【００３７】
飲料バスケットの実施形態１３００は、フレーム１３０５を含んでいる。フレーム１３０５は、リム１３１０、底部分１３１５、及び一群のリブ１３２０を含んでいる。リム１３１０は、フレーム１３０５を直立位置にしたときにフレーム１３０５の最上部に相当する開口部を画定している。リム１３１０は、連続していて、円形状、楕円形状、又は別の形状を有するものとすることができる。底部分１３１５は、フレーム１３０５の底に相当する閉じた面である。リブ１３２０は、リム１３１０から底部分１３１５の縁まで延びている。リブ１３２０とリム１３１０と底部分１３１５は、コーヒー、茶、又は別の飲料、の様な流体の流れを促す一群の開口部を画定している。飲料バスケットの実施形態１３００は、更に、開口部を覆う、上述のフィルタ材料の何れかの様なフィルタ材料を含んでいるが、それは本例では明解さを期して示されていない。
【００３８】
底部分１３１５の第１部分１３２５（図１３Ｃ）は実質的に平坦である。それに対し、底部分１３１５の第２部分１３３０は窪み１３３５を画定しており、窪み１３３５は完全に包囲されているか半ば包囲されているかどちらであってもよい。第１部分１３２５は、底部分１３１５の表面積の３／４又はそれ以上を占めていよう。第２部分１３３０は、残りの面積を占めていよう。窪み１３３５は、バスケット１３００が受け入れ部材の中へ挿入されたときに、膜穿刺針が窪み１３３５内に嵌り、底部分１３１５を刺し貫かないようなサイズである。例えば、底表面の第１部分１３２５の下面に対しての窪み１３３５の深さＤは、限定するわけではなく一例として、約０．３８８インチ（９．８５５２ミリメートル）とすることができる。窪み１３３５の幅は、限定するわけではなく一例として、約０．２８７インチ（７．２８９８ミリメートル）とすることができ、窪み１３３５は、一部の抽出器実施形での膜穿刺針の場所に一致して底部分１３１５の側縁寄りにずれた位置に配置されていよう。とはいえ、窪み１３３５は、膜穿刺針の配置が異なる場合には異なった場所に設置されていよう。窪み１３３５によって占められる空間を制限することで（即ち、第１部分によって占められる空間を最大化することで）、バスケット１３００内ではコーヒーの粉の様な粉用により広い空間がもたらされる。このことは、翻がえせば、より濃いブレンドの作製を促すことになる。
【００３９】
図１４Ａ−図１６Ｂは、飲料バスケットの実施形態１３００を覆うための様々な例示としての蓋を示している。蓋それぞれは、選択的に、フレーム１３０５の最上部に画定されている開口部を実質的にシールするように構成されている。図１４Ａ及び図１４Ｂは、第１の例示としての蓋１４００を示している。蓋１４００は、中央領域に、液体をバスケット１３００の中へ流れ込ませる開口部１４０２を含んでいる。蓋１４００は、更に、フレーム１３０５のリム１３１０の内面に押し当てて摩擦嵌めされ、それにより、蓋１４００と飲料バスケット１３００の間にシールを形成するように構成されている環状リング１４０５を含んでいる。即ち、環状リング１４０５の外面とリム１３１０の内面の間のシールということである。環状リング１４０５の直径は、蓋１４００とバスケット１３００の間にぴったりした嵌まり合いを提供しなお且つ蓋１４００の脱着をやり易くするサイズとすることができる。
【００４０】
図１５Ａ及び図１５Ｂは、第２の例示としての蓋１５００を示している。蓋１５００は、中央領域に、液体をバスケット１３００の中へ流れ込ませる開口部１５０２を含んでいる。蓋１５００は、リム１３１０の外縁の上からスナップ嵌めされるように構成されている側壁１５０５を含んでいる。言い換えれば、蓋１５００と飲料バスケット１３００の間のシールは、側壁１５０５の内面とリム１３１０の外面の間に形成される。側壁１５０５の直径は、蓋１５００とバスケット１３００の間にぴったりした嵌まり合いを提供しなお且つ蓋１５００の脱着をやり易くするサイズとすることができる。
【００４１】
図１６Ａ及び図１６Ｂは、別の例示としての飲料バスケット１６００と蓋１６１０を示している。飲料バスケット１６００は、上述の飲料バスケット１３００の諸機構を含んでいる。但し、リム１６０５は１つ又はそれ以上の切欠１６１２を画定している。蓋１６１０は、蓋１６１０を飲料バスケット１６００へ捻ってロックするのがやり易くなるように、１つ又はそれ以上の切欠１６１２と協働するように構成されている１つ又はそれ以上の軌道１６１５を含んでいる。これに関し、リム１６０５の厚さは、切欠１６１２から離れる距離に伴って漸増しているので、その結果、蓋１６１０と飲料バスケット１６００の間の締りは、蓋１６１０を捻ってゆくにつれて増加する。
【００４２】
以上の構成は変わってもよい。例えば、図１７に描かれている様に、図１４に示されているバスケット１７００と蓋１７０５は、開放形態では蓋１７０５がバスケット１７００へ付着されているように一体に形成されていてもよい。蓋１７０５は、その後、バスケット１７００の上へ折られ、リム１７１０によって画定されているバスケット１７００の最上部の開口部を閉じる。リム１７１０には、蓋１７０５が閉鎖形態にあるときに蓋１７０５の裏面を露出させるべく切欠１７１５が形成されていてもよい。切欠１７１５は、蓋１７０５のバスケット１７００からの取り外しをやり易くする。
【００４３】
図１８Ａ及び図１８Ｂに示されている様に、蓋１８０５の裏面には液体分配フィン１８１０が形成されていてもよい。作動中、蓋開口部の中へ流れてゆく液体は、毛細管圧力により、液体分配フィン１８１０の上へ引き出され、バスケット１８００中の粉へと落ちてゆく。液体分配フィン１８１０は、フィン１８１０の使用無しで起こる場合に比べ、バスケット１８００中の粉のより広い部分に亘って液体を分配する。このことは、翻せば、より均一な飲料抽出を促すことになる。フィン１８１０の形状及び個数は一例にすぎないものと理解しておきたい。
【００４４】
従って、当業者には、特許請求の範囲による範囲に入るものとして更に多くの実施形態及び実施形が実施可能であることが自明であろう。また、説明されている実施形態は、ここに記載されている恩恵の何れかをもたらす新しい実施形態へと組み合わされてもよい。よって、説明されている実施形態は、特許請求の範囲を理解するうえでの支援を提供しているにすぎず、特許請求の範囲による範囲を限定しているわけではない。
【符号の説明】
【００４５】
１００  一回使い捨て飲料パッケージ
１１０  バスケット
１１２  バリア
１１４  バリアの第１辺
１１６  バリアの第２辺
１１８  バスケットの第１端
１２０  バスケットの第２端、底部分
１２２  バスケットに付属の蓋
１２４  バスケットの側壁
１２６  バスケットのリム
１２８  バスケットのフレーム
１３０  バスケットのフィルタ材
２００  蓋のカバー
２０２  蓋のリム
３１２  バスケットの開口端の幅
３１４  リムの寸法
３１６  バスケットの高さ
３１８、３２０  フレームの寸法
４００  カートリッジ
４１０  温められた液体
４１４  飲料粉
４１６  プローブ
４１８  中間飲料物
５００  カバーの開口部
７００  フィルタ材の略円筒形先細部分
７０５  フィルタ材の底部円形部分
７１０  バスケット
７１５  フレームの下端
８０５  ロゴ
９００  飲料バスケット
９０３  フィルタ材料
９０５  溝
９０６  リブ
９０７  窪み
１０００  カートリッジ
１００５  環状リング
１００７  橋部材
１０１５  カートリッジ
１０１７  ボタン
１０１９  橋部材
１１００  飲料バスケット
１１０５  突起部
１１１０  突起部
１１５０  飲料バスケット
１２０５  一番上のバスケット
１２０７  下のバスケット
１２１０  空間
１３００  飲料バスケット
１３０５  フレーム
１３１０  リム
１３１５  底部分
１３２０  リブ
１３２５  底部分の第１部分
１３３０  底部分の第２部分
１３３５  窪み
Ｄ  窪みの深さ
１４００  蓋
１４０２  開口部
１４０５  環状リング
１５００  蓋
１５０２  開口部
１５０５  側壁
１６００  飲料バスケット
１６０５  リム
１６１０  蓋
１６１２  切欠
１６１５  軌道
１７００  バスケット
１７０５  蓋
１７１０  リム
１７１５  切欠
１８００  バスケット
１８０５  蓋
１８１０  液体分配フィン
【図１】
2014521442.tif 000003
【図２】
2014521442.tif 000004
【図３】
2014521442.tif 000005
【図４】
2014521442.tif 000006
【図５】
2014521442.tif 000007
【図６】
2014521442.tif 000008
【図７Ａ】
2014521442.tif 000009
【図７Ｂ】
2014521442.tif 000010
【図７Ｃ】
2014521442.tif 000011
【図８Ａ】
2014521442.tif 000012
【図８Ｂ】
2014521442.tif 000013
【図８Ｃ】
2014521442.tif 000014
【図９Ａ】
2014521442.tif 000015
【図９Ｂ】
2014521442.tif 000016
【図１０Ａ】
2014521442.tif 000017
【図１０Ｂ】
2014521442.tif 000018
【図１１Ａ】
2014521442.tif 000019
【図１１Ｂ】
2014521442.tif 000020
【図１２Ａ】
2014521442.tif 000021
【図１２Ｂ】
2014521442.tif 000022
【図１３Ａ】
2014521442.tif 000023
【図１３Ｂ】
2014521442.tif 000024
【図１３Ｃ】
2014521442.tif 000025
【図１４Ａ】
2014521442.tif 000026
【図１４Ｂ】
2014521442.tif 000027
【図１５Ａ】
2014521442.tif 000028
【図１５Ｂ】
2014521442.tif 000029
【図１６Ａ】
2014521442.tif 000030
【図１６Ｂ】
2014521442.tif 000031
【図１７】
2014521442.tif 000032
【図１８Ａ】
2014521442.tif 000033
【図１８Ｂ】
2014521442.tif 000034
【国際調査報告】
2014521442.tif 000035
2014521442.tif 000036
2014521442.tif 000037